(57)【要約】【課題】画像表示手段の表示面に並列して掲載される画像以外の表示情報に影響を与えることなく、画像にのみ、「距離的な遠近感」と「視野的な遠近感」の２つの遠近感を発生させることができる画像用フレームを提供すること。【解決手段】画像表示手段１０の表示面１１から前方に所定の距離で離間して配置された透明板状部材２１に、画像表示手段１０の表示面１１に表示された画像１５の位置や形状に対応して画枠としてのフレーム部２２が描かれ、画像１５の前方においてその画像１５を見る者の眼の位置が移動する所定の範囲内では、フレーム部２２の内縁によって画像１５の周縁部１５ａが隠されてフレーム部２２の内側空間２２ａには画像１５以外が見えないように、フレーム部２２の内縁の大きさが画像１５よりも小さく設定されている。【選択図】図１
2011228759.tif 000002
【特許請求の範囲】
【請求項１】
画像表示手段の表示面から前方に所定の距離で離間して配置された透明板状部材に、該画像表示手段の該表示面に表示された画像の位置や形状に対応して画枠としてのフレーム部が描かれ、前記画像の前方において該画像を見る者の眼の位置が移動する所定の範囲内では、前記フレーム部の内縁によって前記画像の周縁部が隠されて該フレーム部の内側空間には該画像以外が見えないように、前記フレーム部の内縁の大きさが前記画像よりも小さく設定されていることを特徴とする画像用フレーム。
【請求項２】
前記透明板状部材が、前記フレーム部の内縁によって囲まれた範囲で、開口していることを特徴とする請求項１記載の画像用フレーム。
【請求項３】
前記フレーム部が、シート状の部材に描かれ、前記透明板状部材に貼付されて設けられていることを特徴とする請求項１又は２記載の画像用フレーム。
【請求項４】
前記フレーム部の裏側に画像を照明する照明手段を備えていることを特徴とする請求項１〜３のいずれかに記載の画像用フレーム。
【請求項５】
前記フレーム部の内側空間に格子状、縦や横方向のさん状、又は網状の模様を描いたことを特徴とする請求項１、３又は４記載の画像用フレーム。
【請求項６】
前記フレーム部が、前記画像の表示面に対し、一定の曲率で前方または後方に湾曲していることを特徴とする請求項１、２、３、４又は５記載の画像用フレーム。
【請求項７】
前記フレーム部が、前記画像表示手段の表示面に構成された複数の画像に対応するよう、前記透明板状部材に複数配されていることを特徴とする請求項１、２、３、４、５又は６記載の画像用フレーム。
【請求項８】
前記画像表示手段の表示面に対し、着脱自在に装着されていることを特徴とする１、２、３、４、５、６又は７記載の画像用フレーム。
【発明の詳細な説明】
【技術分野】
【０００１】
写真、絵画、イラスト等の画像に額縁等のフレーム（画枠）を用いることは広く行われている。本発明は、これらの画像、さらには動画映像等に用いて、視覚的な空間的遠近感を発生させるとともに、画質をも向上させることが可能な画像用フレームに関する。
【０００２】
また、本発明は、さまざまな画像表示手段（例えば、テレビ、パソコンモニタ、画像投影スクリーン、写真スタンド、ポスター、カレンダー等）の表示面に並列して掲載される文字情報その他、画像以外の表示情報に影響を与えることなく、画像のみにフレーム（画枠）を施すことが可能な画像用フレームに関する。
【０００３】
画像に視覚的な空間的遠近感を発生させるためには、「距離的な遠近感」と「視野的な遠近感」の２つの遠近感が必要である。「距離的な遠近感」とは「画像の視覚的な奥行き」であり、「視野的な遠近感」とは「画像の視覚的な広がり」である。
【背景技術】
【０００４】
これについて、本願発明者は、画面から所定の間隔をおいて該画面を臨む窓を形成すべく枠状に設けられ、前記画面を見る者が位置する所定の範囲内では前記窓内には前記画面以外が見えないように、前記窓の大きさが前記画面よりも小さく設けられていることを特徴とする画面用窓枠を先に提案してある（特許文献１参照）。
この画面用窓枠は、画面の全面を覆うものであり、窓を模した形態になっている。
【先行技術文献】
【特許文献】
【０００５】
【特許文献１】特開平９−１８７５７３号公報（［００５５］、図１２）
【発明の概要】
【発明が解決しようとする課題】
【０００６】
画像用フレームに関して解決しようとする問題点は、背景技術の画面用窓枠では、画像表示手段の表示面に並列して掲載される画像以外の表示情報に影響を与えることなく、画像にのみ遠近感を発生させることができないことにある。
そこで、本発明の目的は、画像表示手段の表示面に並列して掲載される画像以外の表示情報に影響を与えることなく、画像にのみ、「距離的な遠近感」と「視野的な遠近感」の２つの遠近感を発生させることができる画像用フレームを提供することにある。
【課題を解決するための手段】
【０００７】
本発明は、上記目的を達成するために次の構成を備える。
本発明にかかる画像用フレームの一形態によれば、画像表示手段の表示面から前方に所定の距離で離間して配置された透明板状部材に、該画像表示手段の該表示面に表示された画像の位置や形状に対応して画枠としてのフレーム部が描かれ、前記画像の前方において該画像を見る者の眼の位置が移動する所定の範囲内では、前記フレーム部の内縁によって前記画像の周縁部が隠されて該フレーム部の内側空間には該画像以外が見えないように、前記フレーム部の内縁の大きさが前記画像よりも小さく設定されている。
【０００８】
また、本発明にかかる画像用フレームの一形態によれば、前記透明板状部材が、前記フレーム部の内縁によって囲まれた範囲で、開口していることを特徴とすることができる。
また、本発明にかかる画像用フレームの一形態によれば、前記フレーム部がシート状の部材に描かれ、前記透明板状部材に貼付することを特徴とすることができる。
【０００９】
また、本発明にかかる画像用フレームの一形態によれば、前記フレーム部の裏側に画像を照明する照明手段を備えていることを特徴とすることができる。
また、本発明にかかる画像用フレームの一形態によれば、前記フレーム部の内側空間に格子状、縦や横方向のさん状、又は網状の模様を描いたことを特徴とすることができる。
【００１０】
また、本発明にかかる画像用フレームの一形態によれば、前記フレーム部が前記画像の表示面に対し、一定の曲率で前方または後方に湾曲していることを特徴とすることができる。
【００１１】
また、本発明にかかる画像用フレームの一形態によれば、前記フレーム部が前記画像表示手段の表示面に構成された複数の画像に対応するよう、前記透明板状部材に複数配されていることを特徴とすることができる。
【００１２】
また、本発明にかかる画像用フレームの一形態によれば、前記画像表示手段の表示面に対し、着脱自在に装着されていることを特徴とすることができる。
【発明の効果】
【００１３】
本発明の画像用フレームによれば、画像表示手段の表示面に並列して掲載される画像以外の表示情報に影響を与えることなく、画像にのみ、「距離的な遠近感」と「視野的な遠近感」の２つの遠近感を発生させることができるという特別有利な効果を奏する。
【図面の簡単な説明】
【００１４】
【図１】本発明に係る画像用フレームの形態例であって、両眼視差による距離的な遠近感（空間の視覚的な奥行き）の発生状況を示す説明図である。
【図２】本発明に係る画像用フレームの形態例であって、視点移動による視野的な遠近感（空間の視覚的な広がり）の発生状況を示す説明図である。
【図３】本発明に係る画像用フレームの他の形態例を示す説明図である。
【図４】本発明に係る画像用フレームを画像表示手段に装着する形態例を示す側面図である。
【発明を実施するための形態】
【００１５】
以下、本発明に係る画像用フレームの形態例を、添付図面（図１〜４）に基づいて詳細に説明する。
本発明に係る画像用フレーム２０は、画像表示手段１０の表示面１１から前方に所定の距離で離間して配置された透明板状部材２１に、画像表示手段１０の表示面１１に表示された画像１５の位置や形状等に対応して画枠としてのフレーム部２２が描かれ、画像１５の前方において画像１５を見る者の眼の位置が移動する所定の範囲内では、フレーム部２２の内縁によって画像１５の周縁部１５ａが隠されてフレーム部２２の内側空間２２ａには画像１５以外が見えないように、フレーム部２２の内縁の大きさが画像１５よりも所定の比率で小さく設定されている。
【００１６】
上記構造のフレーム部（画枠）２２が配された画像１５からは、両眼視差による距離的な遠近感と、その視点移動による視野的な遠近感が発生する。図１は、両眼視差による距離的な遠近感（空間の視覚的な奥行き）の発生状況を示す平面図及び正面図である。図２は、視点移動による視野的な遠近感（空間の視覚的な広がり）の発生状況を示す平面図及び正面図である。図中の符号は、Ｍ：画像の大きさ（Ｍ１は横方向の長さ、Ｍ２は縦方向の長さになっている。）、ｍ：フレーム部の内縁の大きさ（ｍ１は横方向の長さ、ｍ２は縦方向の長さになっている。）、ｈ：画像との離間距離、θ１：左眼の視角、θ２：右眼の視角、θ３：左側へ視点が移動したときの視野角、θ４：右側へ視点が移動したときの視野角、をそれぞれ示しており、ｍ＜Ｍという関係に設けられている。
【００１７】
また、フレーム部２２を透明な板状部材２１に描くことで、画像表示手段１０の表示面１１に掲載される画像１５以外の文字情報その他の表示情報（文字情報等４０）を隠すことなく、画像１５にのみフレーム部２２を施すことが可能である。
さらに、表示画像１５を覆うようにフレーム部２２を配することで、表示画像１５が外光からシールドされて画質が向上し、明るい周囲環境下でも鮮明な画像を観ることができる。
また、描かれるフレーム部２２は、印刷技術等を使用して構成できるため、低コストで大量生産できる。そして、フレーム部２２の形状は、様々にデザインでき、需要者の要求に応えることができる。
【００１８】
本発明に係る画像用フレーム２０には以下のような実施態様がある。
１．フレーム部２２が描かれた透明板状部材２１が、描かれたフレーム部２２の内縁によって囲まれた範囲で切り取られ、開口している画像用フレーム。
これによれば、開口された空間により表示画像１５と描かれたフレーム部２２との距離感がより鮮明となり空間的遠近感が向上する。
【００１９】
２．シート状部材に描かれたフレーム部２２を透明板状部材２１に貼付することで構成される画像用フレーム。
これによれば、透明板状部材２１とフレーム部２２の識別がより明確化することで空間的遠近感が向上するとともに、透明板状部材２１をそのままに、フレーム部２２のデザインを適宜に変更することができる。
【００２０】
３．フレーム部２２の裏側に画像１５を照明する照明手段を備えている画像用フレーム。
画像表示手段１０としては、テレビやパソコンモニタ等のように自ら発光して画像表示するものと、ポスターやカレンダー等のように発光しないものがある。そのため自ら発光しない表示画像１５に対しては、フレーム部２２の裏側に照明手段を配し、表示画像１５を明るく照明する。照明手段としては電気的照明の他、夜光材料や蛍光材料等を用いた照明も含まれる。また自ら発光する表示画像１５においても工夫をこらした照明をすることで、発生する空間的遠近感に独特な視覚効果を与えることができる。
【００２１】
４．フレーム部２２の内側空間２２ａに格子等を描いた画像用フレーム。
フレーム部２２の内側空間２２ａに格子等を描くことで、表示画像１５とフレーム部２２との距離感が鮮明となるとともに、両眼視差が各所で発生することで空間的遠近感が向上する。ここで言う格子とは、縦および／または横方向に描かれたさんや、網状等のものを含む。
【００２２】
５．フレーム部２２が、表示画像１５の表示面１１に対し、一定の曲率で前方または後方に湾曲している画像用フレーム。
表示される画像１５の内容に応じてフレーム部２２を画像表示面１１に対して、一定の曲率で湾曲させることで、表示画像１５とフレーム部２２との離間距離を、表示画像１５上の各位置に応じて変化させることで、視覚的な空間的遠近感をさらに効果的に向上させることができる。
【００２３】
６．フレーム部２２が、画像表示手段１０の表示面１１に構成された複数の画像１５に対応するように、透明板状部材２１に複数配されている画像用フレーム。
図３に、二個の表示画像１５Ａ、１５Ｂに適用させた画像用フレーム２０の状況を示す。透明板状部材２１にフレーム部２２Ａ、２２Ｂが描かれることで構成されるため、接近して配された表示画像１５Ａ、１５Ｂにおいても、容易にそれぞれの表示画像１５Ａ、１５Ｂにフレーム部２２Ａ、２２Ｂを適用させることが可能である。
【００２４】
７．画像表示手段１０の表示面１１にワンタッチで着脱できる構造を備えた画像用フレーム。
画像表示手段１０本来の使用に支障をきたさぬよう、画像用フレーム２０はワンタッチで画像表示手段１０の表示面１１に着脱可能な構造を備えている。
例えば図４に示すように、パソコンモニタ１０Ａに画像用フレーム２０を装着する場合は、モニタ１０Ａの上縁に掛けるフック部２５と、モニタ１０Ａの表示画像１５との間隔を保持する間隔保持部２６を設ければよい。
【００２５】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２６】
１０  画像表示手段
１０Ａ  モニタ
１１  表示面
１５  画像
１５Ａ  画像
１５Ｂ  画像
１５ａ  周縁部
２０  画像用フレーム
２１  透明板状部材
２２  フレーム部
２２Ａ  フレーム部
２２Ｂ  フレーム部
２２ａ  内側空間
４０  文字情報等
【図１】
2011228759.tif 000003
【図２】
2011228759.tif 000004
【図３】
2011228759.tif 000005
【図４】
2011228759.tif 000006